(57)【要約】      （修正有）【課題】ライセンスアシストアクセス技術を用いた無線通信システムにおいて、移動局に使用されるコンテンションウィンドウのサイズを調整することができるコンテンションウィンドウサイズの特定方法、無線基地局及び移動局を提供する【解決手段】移動局は、無線基地局によって伝送されるデータが新規データであるか、または再送信の旧データであるかを指示するデータ伝送情報を取得するように構成される情報取得部と、所定時間帯内に取得されるデータ伝送情報に従って、移動局が使用しようとするコンテンションウィンドウのサイズを特定するように構成されるウィンドウ特定部と、を含む。【選択図】図１１
2019180083.tif 000002
【特許請求の範囲】
【請求項１】
移動局であって、
前記移動局によって伝送されるデータが新規データであるか、または再送信の旧データであるかを指示するデータ伝送情報を取得するように構成される情報取得部と、
所定時間帯内に取得されるデータ伝送情報に従って、前記移動局が使用しようとするコンテンションウィンドウのサイズを特定するように構成されるウィンドウ特定部と、
を含む移動局。
【請求項２】
前記ウィンドウ特定部は、
所定時間帯内に取得される、前記移動局によって伝送されるデータが再送信の旧データであることを指示するデータ伝送情報の数量が数量の閾値より大きいかを特定し、
所定時間帯内に取得される、前記移動局によって伝送されるデータが再送信の旧データであることを指示するデータ伝送情報の数量が数量閾値より大きければ、前記移動局が使用しようとするコンテンションウィンドウのサイズを増加し、そうでなければ、移動局が使用しようとするコンテンションウィンドウのサイズを最小値にリセットする、
請求項１に記載の移動局。
【請求項３】
前記ウィンドウ特定部は、
前記移動局が連続的に最大コンテンションウィンドウを使用してチャネルアクセスコンテンションを行う回数が予め設定した最大コンテンションウィンドウ使用回数閾値に達する場合に、使用しようとするコンテンションウィンドウのサイズを最小値にリセットする、
請求項１に記載の移動局。
【請求項４】
特定されるコンテンションウィンドウのサイズに従って、前記移動局が使用しようとするバックオフ回数を生成するように構成されるバックオフ特定部をさらに含む、
請求項１乃至３のいずれかに記載の移動局。
【請求項５】
前記バックオフ特定部は、
０から特定されるコンテンションウィンドウのサイズまでの間にランダムに選択することで、前記移動局が使用しようとするバックオフ回数を生成する、
請求項４に記載の移動局。
【請求項６】
移動局によって実行される、コンテンションウィンドウサイズを特定する方法であって、
前記移動局によって伝送されるデータが新規データであるか、または再送信の旧データであるかを指示するデータ伝送情報を取得する工程と、
所定時間帯内に取得されるデータ伝送情報に従って、前記移動局が使用しようとするコンテンションウィンドウのサイズを特定する工程と、
を含む方法。
【請求項７】
前記所定時間帯内に取得されるデータ伝送情報に従って、前記移動局が使用しようとするコンテンションウィンドウのサイズを特定する工程は、
所定時間帯内に取得される、前記移動局によって伝送されるデータが再送信の旧データであることを指示するデータ伝送情報の数量が数量閾値より大きいかを特定する工程と、
所定時間帯内に取得される、前記移動局によって伝送されるデータが再送信の旧データであることを指示するデータ伝送情報の数量が数量閾値より大きければ、前記移動局が使用しようとするコンテンションウィンドウのサイズを増加し、そうでなければ、移動局が使用しようとするコンテンションウィンドウのサイズを最小値にリセットする工程と、を含む請求項６に記載の方法。
【請求項８】
前記移動局が連続的に最大コンテンションウィンドウを使用してチャネルアクセスコンテンションを行う回数が予め設定した最大コンテンションウィンドウ使用回数閾値に達する場合に、使用するコンテンションウィンドウのサイズを最小値にリセットする工程をさらに含む、請求項６に記載の方法。
【請求項９】
特定されるコンテンションウィンドウのサイズに従って、前記移動局が使用しようとするバックオフ回数を生成する工程をさらに含む請求項６乃至８のいずれかに記載の方法。
【請求項１０】
前記特定されるコンテンションウィンドウのサイズに従って、前記移動局が使用しようとするバックオフ回数を生成する工程は、
０から特定されるコンテンションウィンドウのサイズまでの間にランダムに選択することで、前記移動局が使用しようとするバックオフ回数を生成する工程を含む、請求項９に記載の方法。
【発明の詳細な説明】
【技術分野】
【０００１】
本発明は、コンテンションウィンドウサイズの特定方法、無線基地局及び移動局に関する。より具体的には、本発明は、アンライセンス周波数帯域におけるリッスンビフォートーク（ｌｉｓｔｅｎ  ｂｅｆｏｒｅ  ｔａｌｋ）メカニズムに使用されるコンテンションウィンドウサイズの特定方法、無線基地局及び移動局に関する。
【背景技術】
【０００２】
現在のＬＴＥ（ロング・ターム・エボリューション（Ｌｏｎｇ  Ｔｅｒｍ  Ｅｖｏｌｕｔｉｏｎ））などの無線通信システムでは、無線基地局と移動局は、ライセンス周波数帯域を利用して通信する。しかし、オンライン動画視聴などより多くのデータトラフィックが必要とされる場合に、現在の無線通信システムのデータ伝送レートは通常、ユーザのニーズを満たすことができない。従って、ＬＴＥに後続するＬＴＥ−Ａｄｖａｎｃｅｄ（ＬＴＥ−Ａ）などの将来の無線通信システムでは、移動通信システムのスループットをさらに向上させるように、ライセンスアシストアクセス（Ｌｉｃｅｎｓｅ  Ａｓｓｉｓｔｅｄ  Ａｃｃｅｓｓ）技術の利用が検討されている。ライセンスアシストアクセス技術を用いたセルでは、ライセンス周波数帯域に加えて、基地局とユーザは、例えば、ＷｉＦｉシステムなどの他のシステムで使用されるアンライセンス周波数帯域も使用して通信することができるようになった。
【０００３】
ライセンスアシストアクセス技術において、無線通信システムが、例えば、ＷｉＦｉシステムなどの他のシステムと一緒にアンライセンス周波数帯域を使用するため、アンライセンス周波数帯域の使用可能を確認するために、基地局と移動局は、データ送信を行う前に、アンライセンス周波数帯域に対してリスニングする必要がある。ＷｉＦｉシステムにおいて、サーバ（ＡＰ）と端末装置は、データ送信を行う前に、キャリアセンス多重アクセス／衝突回避（Ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ  （ＣＳＭＡ／ＣＡ））のリスニングポリシーを用いてアンライセンス周波数帯域をリスニングしてもよい。このポリシーにおいて、サーバと端末装置は、コンテンションウィンドウのサイズに基づいてバックオフカウンタ初期値（即ち、データを送信する前に行うべきバックオフ回数）をランダムに選択することにより、ランダムバックオフアルゴリズムを行う。ここで、コンテンションウィンドウのサイズは、端末装置からサーバに送信されたＡＣＫ／ＮＡＣＫシグナリング、又はサーバから端末に送信されたＡＣＫ／ＮＡＣＫシグナリングに応じて調整されてもよい。
【発明の概要】
【発明が解決しようとする課題】
【０００４】
ライセンスアシストアクセス技術において、上り伝送について、ユーザは同様に、データ送信を行う前に、アンライセンス周波数帯域に対してリスニングする必要があり、かつ、ＷｉＦｉと類似するキャリアセンスポリシーを採用してもよい。そのため、ライセンスアシストアクセス技術において、上り伝送も、このコンテンションウィンドウのサイズによって実現されたランダムバックオフアルゴリズムに関する。しかし、ライセンスアシストアクセス技術の上りリンクの場合、非同期上りリンクハイブリッドオートリピートが採用されており、かつ無線基地局がＰＨＩＣＨチャネルを用いてＡＣＫ／ＮＡＣＫシグナリングを移動局に送信しなくなる。つまり、ライセンスアシストアクセス技術における上り伝送について、移動局は、ＡＣＫ／ＮＡＣＫシグナリングを取得できず、ＡＣＫ／ＮＡＣＫシグナリングに基づいてコンテンションウィンドウのサイズを調整することもできない。
【０００５】
本発明は、かかる点に鑑みてなされたものであり、ライセンスアシストアクセス技術を用いた無線通信システムにおいて、移動局に使用されるコンテンションウィンドウのサイズを調整することができるコンテンションウィンドウサイズの特定方法、無線基地局及び移動局を提供することを目的とする。
【課題を解決するための手段】
【０００６】
本発明の一態様によれば、移動局であって、前記移動局によって伝送されるデータが新規データであるか、または再送信の旧データであるかを指示するデータ伝送情報を取得するように構成される情報取得部と、所定時間帯内に取得されるデータ伝送情報に従って、前記移動局が使用しようとするコンテンションウィンドウのサイズを特定するように構成されるウィンドウ特定部と、を含む移動局が提供される。
【０００７】
本発明の別の態様によれば、移動局によって実行されるコンテンションウィンドウサイズを特定する方法であって、前記移動局によって伝送されるデータが新規データであるか、または再送信の旧データであるかを指示するデータ伝送情報を取得する工程と、所定時間帯内に取得されるデータ伝送情報に従って、前記移動局が使用しようとするコンテンションウィンドウのサイズを特定する工程と、を含む方法が提供される。
【図面の簡単な説明】
【０００８】
本発明の上記及びその他の目的、特徴、メリットがより明らかになるように、添付図面を併せて本発明の実施例を詳しく説明する。
【０００９】
【図１】本発明の一実施例によるコンテンションウィンドウサイズを特定する方法のフローチャートである。
【図２】本発明の一例による否定復調情報に基づいてコンテンションウィンドウサイズを特定する方法のフローチャートである。
【図３】本発明の一例によるサウンディング参照信号測定結果に基づいてコンテンションウィンドウサイズを特定する方法のフローチャートである。
【図４】本発明の他の例による否定復調情報に基づいてコンテンションウィンドウサイズを特定する方法のフローチャートである。
【図５】本発明の他の例によるサウンディング参照信号測定結果に基づいてコンテンションウィンドウサイズを特定する方法のフローチャートである。
【図６】本発明の他の実施例によるコンテンションウィンドウを特定する方法のフローチャートである。
【図７】本発明の一例によるデータ伝送情報に基づいて、移動局が使用しようとするコンテンションウィンドウサイズを特定する方法のフローチャートである。
【図８】本発明の他の実施例によるコンテンションウィンドウサイズを特定する方法のフローチャートである。
【図９】本発明の一例による観察時間帯９００を示す図である。
【図１０】本発明の実施例による無線基地局のブロック図である。
【図１１】本発明の実施例による移動局のブロック図である。
【図１２】本発明の実施例による移動局のブロック図である。
【発明を実施するための形態】
【００１０】
以下、添付図面を参照しながら本発明の実施例によるコンテンションウィンドウの特定方法、無線基地局及び移動局について説明する。図面の記載において、同一の参照符号は、常に同一の要素を示す。ただし、ここで述べる実施例は、例示的なものに過ぎず、本発明の範囲を限定するものでないことが理解されるべきである。
【００１１】
図１は、本発明の一実施例によるコンテンションウィンドウサイズを特定する方法１００のフローチャートである。コンテンションウィンドウサイズを特定する方法１００は、無線基地局によって実行されてもよい。以下、図１を参照しながら、本発明の実施例によるコンテンションウィンドウサイズを特定する方法１００について詳細に説明する。図１に示すように、ステップＳ１０１において、少なくとも一つの移動局に関するコンテンションウィンドウパラメータを取得する。例えば、コンテンションウィンドウは、移動局のチャネル品質に関するチャネル品質パラメータを含んでもよく、移動局によって特定されて基地局へ送信される、当該移動局が使用しようとするコンテンションウィンドウのサイズを指示する候補ウィンドウパラメータを含んでもよい。本発明の一例によれば、チャネル品質パラメータは、無線基地局が上りデータに対して正しく復調できたか否かを指示するデータ復調情報を含んでもよい。例えば、無線基地局は、移動局から送信された上りデータに対して復調を行い、且つ、データ復調情報は、無線基地局が上りデータに対して正しく復調できたことを指示する肯定復調情報と、無線基地局が上りデータに対して正しく復調できなかったことを指示する否定復調情報とを含んでもよい。本発明の他の例によれば、チャネル品質パラメータは、上りサウンディング参照信号（ｓｏｕｎｄｉｎｇ  ｒｅｆｅｒｅｎｃｅ  ｓｉｇｎａｌ）測定結果を含んでもよい。例えば、無線基地局は、上りサウンディング参照信号を使用して移動局のチャネルに対して測定を行うと共に、上りサウンディング参照信号測定結果を生成してもよい。
【００１２】
次いで、ステップＳ１０２において、取得されるコンテンションウィンドウパラメータに従って、前記少なくとも一つの移動局が使用しようとするコンテンションウィンドウのサイズを特定する。本発明による実施例において、コンテンションウィンドウは、移動局がアンライセンス周波数帯域で無線通信を行うときに、データ送信が行われる前のアンライセンス周波数帯域に対するリスニングポリシーを特定するためのウィンドウを指す。ランダムバックオフアルゴリズムにおいて、移動局は、コンテンションウィンドウサイズの範囲内に１つの値を選択してバックオフカウンタ初期値とする（即ち、データを送信する前に行うべきバックオフ回数）。例えば、コンテンションウィンドウが７である場合に、移動局は、０〜７から、１つの値をランダムに選択して、必要なバックオフ回数としてもよい（即ち、データ送信前に移動局がリスニングすべきアイドルスロットの数）。
【００１３】
本発明の一例によれば、無線基地局は、複数の移動局を同時にスケジューリングしようとする場合に、ステップＳ１０１において、複数の移動局のコンテンションウィンドウパラメータを取得してもよい。さらに、ステップＳ１０２において、無線基地局は、取得される複数の移動局のチャネル品質パラメータに従って、この複数の移動局が共通に使用しようとするコンテンションウィンドウのサイズを特定してもよい。複数の移動局が共通に使用するコンテンションウィンドウを使用するときに、この複数の移動局のデータ送信時間が近く、無線基地局は、この複数の移動局からの送信データを１つのサブフレームとして同時にスケジューリングすることが容易になる。
【００１４】
例えば、コンテンションウィンドウパラメータは、データ復調情報を含んでもよい。ステップＳ１０１において、複数の移動局のうちそれぞれの移動局からの上りデータに対する復調により、当該移動局の上りデータに対するデータ復調情報を生成してもよい。具体的には、無線基地局は、各上りリンクサブフレームにおける各移動局からの上りデータを復調するとともに、対応するデータ復調情報を生成することができる。無線基地局は、１つ又は複数の上りリンクサブフレームを含む時間帯内の各移動局のデータ復調情報を取得することができる。次いで、ステップＳ１０２において、所定時間帯内に生成される複数の移動局のデータ復調情報のうちの否定復調情報に従って、前記複数の移動局が共通に使用しようとするコンテンションウィンドウのサイズを特定してもよい。ここで、所定時間帯は、最も近い上り伝送バーストにおける１つまたは複数の上りリンクサブフレームであってもよい。例えば、最も近い上り伝送バーストの最初の１つまたは複数のサブフレームであってもよく、あるいは、最も近い上り伝送バーストの最後の１つまたは複数のサブフレームであってもよい。
【００１５】
図２は、本発明の一例による否定復調情報基づいてコンテンションウィンドウサイズを特定する方法２００のフローチャートである。図２に示すように、ステップＳ２０１において、所定時間帯内に生成される複数の移動局のデータ復調情報のうちの否定復調情報の数量または比率が否定数量閾値または否定比率閾値以上であるかを特定する。所定時間帯内に生成される複数の移動局のデータ復調情報のうちの否定復調情報の数量または比率が否定数量閾値または否定比率閾値以上である場合には、複数の移動局のチャネル状態が悪くてデータ伝送に不利であることが示される。そのため、ステップＳ２０２において、複数の移動局が共通に使用しようとするコンテンションウィンドウのサイズを増加する。通信システムにおけるチャネル状態に対する要求に応じて否定数量または否定比率閾値を設定してもよい。例えば、チャネル状態に対する要求が高い場合に、否定数量閾値を１に設定してもよい。これにより、所定時間帯内に生成される複数の移動局のデータ復調情報に否定復調情報が存在すれば、複数の移動局が共通に使用しようとするコンテンションウィンドウのサイズを増加する。または、例えば、チャネル状態に対する要求が低い場合に、否定比率閾値を１００％に設定してもよい。これにより、所定時間帯内に無線基地局がすべての移動局の上りデータのいずれも正しく復調できなかった場合にのみ、複数の移動局が共通に使用しようとするコンテンションウィンドウのサイズを増加する。また、否定比率閾値を５０％に設定してもよい。これにより、所定時間帯内に無線基地局が５０％の移動局の上りデータを正しく復調できなかった場合に、複数の移動局が共通に使用しようとするコンテンションウィンドウのサイズを増加する。
【００１６】
一方、選択的に、所定時間帯内に生成される複数の移動局のデータ復調情報のうちの否定復調情報の数量または比率が所定数量または比率閾値を下回った場合には、複数の移動局のチャネル環境がよくてデータ伝送に有利であることが示される。従って、複数の移動局が共通に使用しようとするコンテンションウィンドウのサイズを最小値にリセットしてもよい。
【００１７】
また、例えば、コンテンションウィンドウパラメータは、無線基地局の移動局に対する上りサウンディング参照信号測定の測定結果を含んでもよい。ステップＳ１０１において、無線基地局の前記複数の移動局のうちそれぞれの移動局に対するサウンディング参照信号の測定結果を取得する。例えば、無線基地局の前記複数の移動局のうちそれぞれの移動局に対する最新回のサウンディング参照信号測定結果を取得することができる。次いで、ステップＳ１０２において、取得されるサウンディング参照信号測定結果に従って、前記複数の移動局が共通に使用しようとするコンテンションウィンドウのサイズを特定する。
【００１８】
図３は、本発明の一例によるサウンディング参照信号測定結果に基づいてコンテンションウィンドウサイズを特定する方法３００のフローチャートである。図３に示すように、ステップＳ３０１において、複数の移動局のうちに、サウンディング参照信号測定結果が所定測定閾値より小さい移動局の数量または比率が移動局数量閾値または移動局比率閾値以上であるか否かを特定する。複数の移動局のうちに、サウンディング参照信号測定結果が所定測定閾値より小さい移動局の数量または比率が移動局数量閾値または移動局比率閾値以上である場合には、複数の移動局のチャネル状態が悪くてデータ伝送に不利であることが示される。そのため、ステップＳ３０２において、複数の移動局が共通に使用しようとするコンテンションウィンドウのサイズを増加する。通信システムにおけるチャネル状態に対する要求に応じて所定測定閾値及び移動局数量閾値または移動局比率閾値を設定してもよい。例えば、チャネル状態に対する要求が高い場合に、サウンディング参照信号測定結果に関する所定測定閾値を、良い測定結果を指示するように設定するとともに、移動局数量閾値を大きく、または移動局比率閾値を高く設定してもよい。逆に、サウンディング参照信号測定結果に関する所定測定閾値を、悪い測定結果を指示するように設定するとともに、移動局数量閾値を小さく設定し、または移動局比率閾値を低く設定してもよい。
【００１９】
一方、選択的に、複数の移動局のうちに、サウンディング参照信号測定結果が所定測定閾値より小さい移動局の数量または比率が移動局数量閾値または移動局比率閾値を下回った場合には、複数の移動局のチャネル状態がよくてデータ伝送に有利であることが示される。従って、複数の移動局が共通に使用しようとするコンテンションウィンドウのサイズを最小値にリセットしてもよい。
【００２０】
また、例えば、コンテンションウィンドウパラメータは、移動局によって特定されて基地局へ通知される、当該移動局が使用しようとするコンテンションウィンドウのサイズを指示する候補ウィンドウパラメータを含んでもよい。ステップＳ１０１において、複数の移動局のうちの各移動局の候補ウィンドウパラメータを取得してもよい。各移動局は、下記の図６〜８を参照しながら説明するコンテンションウィンドウサイズを特定する方法により、それ自身のチャネル状態に応じて、該移動局に適するコンテンションウィンドウのサイズを特定するとともに、該サイズを候補ウィンドウパラメータとして基地局に送信してもよい。次いで、ステップＳ１０２において、基地局は、取得される各移動局の候補ウィンドウパラメータに従って、前記複数の移動局が共通に使用しようとするウィンドウサイズを特定する。例えば、第１の移動局によって無線基地局に送信された第１の候補ウィンドウパラメータは、第１の移動局によって特定されて基地局に通知される、該移動局が使用しようとするコンテンションウィンドウのサイズが３であることを指示し、第２の移動局によって無線基地局に送信された第２の候補ウィンドウパラメータは、第２の移動局によって特定されて基地局に通知される、該移動局が使用しようとするコンテンションウィンドウのサイズが４であることを指示し、第３の移動局によって無線基地局に送信された第３の候補ウィンドウパラメータは、第３の移動局によって特定されて基地局に通知される、該移動局が使用しようとするコンテンションウィンドウのサイズが５であることを指示する。ステップＳ１０２において、無線基地局は、第１〜第３の候補ウィンドウパラメータのうち、最大コンテンションウィンドウを指示する候補ウィンドウパラメータ（即ち、第３の候補ウィンドウパラメータ）に基づいて、第１〜第３の移動局が共通に使用しようとするコンテンションウィンドウのサイズを特定してもよい。
【００２１】
また、本発明の他の例によれば、ステップＳ１０１において、無線基地局は、一つの特定移動局のコンテンションウィンドウパラメータを取得することができる。さらに、ステップＳ１０２において、取得されるコンテンションウィンドウパラメータに従って、該特定移動局が使用しようとするコンテンションウィンドウのサイズを特定する。
【００２２】
例えば、コンテンションウィンドウパラメータは、データ復調情報を含んでもよい。ステップＳ１０１において、特定移動局からの上りデータに対する復調により、当該移動局のデータ復調情報を生成してもよい。具体的には、無線基地局は、各上りリンクサブフレームのうちの特定移動局からの上りデータに対して復調を行うと共に、対応するデータ復調情報を生成することができる。無線基地局は、１つまたは複数の上りリンクサブフレームを含む時間帯内における特定移動局のデータ復調情報を取得することができる。次いで、ステップＳ１０２において、所定時間帯内に生成される特定移動局のデータ復調情報のうちの否定復調情報に従って、該特定移動局が使用しようとするコンテンションウィンドウのサイズを特定する。
【００２３】
図４は、本発明の他の例による否定復調情報に基づいてコンテンションウィンドウサイズを特定する方法４００のフローチャートである。図４に示すように、ステップＳ４０１において、所定時間帯内に生成される特定移動局のデータ復調情報のうちの否定復調情報の数量または比率が否定数量閾値または否定比率閾値以上であるか否かを特定する。所定時間帯内に生成される特定移動局のデータ復調情報のうちの否定復調情報の数量または比率が否定数量または比率閾値以上である場合には、該特定移動局のチャネル状態が悪くてデータ伝送に不利であることが示される。そのため、ステップＳ４０２において、該特定移動局が使用しようとするコンテンションウィンドウのサイズを増加する。方法２００と同様に、通信システムにおけるチャネル状態に対する要求に応じて否定数量又は否定比率閾値を設定してもよい。
【００２４】
一方、選択的に、所定時間帯内に生成される特定移動局のデータ復調情報のうちの否定復調情報の数量または比率が所定数量または比率閾値を下回った場合には、特定移動局のチャネル状態が良くてデータ伝送に有利であることが示される。従って、特定移動局が使用しようとするコンテンションウィンドウのサイズを最小値にリセットしてもよい。
【００２５】
また、例えば、コンテンションウィンドウパラメータは、無線基地局の移動局に対する上りサウンディング参照信号測定の測定結果を含んでもよい。ステップＳ１０１において、前記無線基地局の前記特定移動局に対するサウンディング参照信号測定結果を取得する。例えば、無線基地局の特定移動局に対する最新回のサウンディング参照信号の測定結果を取得することができる。次いで、ステップＳ１０２において、取得されるサウンディング参照信号測定結果に従って、特定移動局が使用しようとするコンテンションウィンドウのサイズを特定する。
【００２６】
図５は、本発明の他の例によるサウンディング参照信号測定結果に基づいてコンテンションウィンドウサイズを特定する方法５００のフローチャートである。図５に示すように、ステップＳ５０１において、特定移動局のサウンディング参照信号測定結果が所定測定閾値より小さいか否かを特定する。特定移動局におけるサウンディング参照信号測定結果が所定測定閾値より小さい場合には、特定移動局のチャネル状態が悪くてデータ伝送に不利であることが示される。そのため、ステップＳ５０２において、特定移動局が使用しようとするコンテンションウィンドウのサイズを増加する。通信システムにおけるチャネル状態に対する要求に応じて所定測定閾値を設定してもよい。
【００２７】
一方、選択的に、特定移動局のサウンディング参照信号測定結果が所定測定閾値以上である場合には、特定移動局のチャネル状態が良くてデータ伝送に有利であることが示される。従って、特定移動局が使用しようとするコンテンションウィンドウのサイズを最小値にリセットしてもよい。
【００２８】
図１に戻り、ステップＳ１０３において、特定されるコンテンションウィンドウのサイズに従ってバックオフ情報を生成し、且つ、少なくとも一つの移動局にバックオフ情報を通知する。本発明の一例によれば、バックオフ情報は、特定されるコンテンションウィンドウのサイズを指示してもよい。本発明の他の例によれば、無線基地局は、特定されるコンテンションウィンドウのサイズに従って、該コンテンションウィンドウの範囲内において、移動局がデータ送信を行う前に必要なバックオフ回数をランダムに選択して移動局に通知することができる。かかる場合に、バックオフ情報は、無線基地局が移動局のために選択したバックオフ回数を指示してもよい。
【００２９】
また、ステップＳ１０３において、ＲＲＣシグナリング、ＤＣＩシグナリング、または下り伝送バーストの前の初期シグナリング（ｉｎｉｔｉａｌ  ｓｉｇｎａｌｉｎｇ）により、前記複数の移動局に前記バックオフ情報を通知してもよい。具体的には、無線基地局は、ＲＲＣシグナリングを介して移動局にバックオフ情報を通知することにより、該情報を移動局に準静的に通知することができる。代わりに、無線基地局は、ＤＣＩシグナリングを介して移動局にバックオフ情報を通知することにより、該情報を移動局に動的に通知することができる。例えば、バックオフ情報が複数の移動局に共通のバックオフ情報である場合に、無線基地局は、バックオフ情報をＤＣＩシグナリングの共通検索フィールドに設定してもよく、同一のバックオフ情報をＤＣＩシグナリングの移動局固有検索フィールドに設定してもよい。また、バックオフ情報が特定移動局に共通のバックオフ情報である場合に、無線基地局は、バックオフ情報を、ＤＣＩシグナリングの対応する移動局固有検索フィールドに設定してもよい。また、バックオフ情報が複数の移動局に共通のバックオフ情報である場合に、無線基地局は、各移動局に共通の、下り伝送バーストの前の初期シグナリングを介して、複数の移動局に対してバックオフ情報を通知してもよい。移動局は、無線基地局によって通知されたバックオフ情報に基づいて、それが使用しようとするコンテンションウィンドウサイズまたはバックオフ回数を設定してもよい。
【００３０】
図１〜５を参照しながら説明した、本発明の上述した実施例によるコンテンションウィンドウサイズを特定する方法において、無線基地局は、移動局に関するコンテンションウィンドウパラメータに基づいて、移動局が使用しようとするコンテンションウィンドウのサイズを特定する。移動局がＡＣＫ／ＮＡＣＫシグナリングを取得できない場合であっても、それが使用しようとするコンテンションウィンドウのサイズまたはバックオフ回数は、適切に調節されうる。また、本発明の上述した実施例によるコンテンションウィンドウサイズを特定する方法を通じて、無線基地局による、移動局が使用しようとするコンテンションウィンドウサイズまたはバックオフ回数に対する制御を実現することができる。移動局によるコンテンションウィンドウサイズの特定と比べて、基地局は、移動局をより適切にスケジューリングを行い、且つ、上りのマルチユーザ多重を実現することができる。
【００３１】
図６は、本発明の他の実施例によるコンテンションウィンドウサイズを特定する方法６００のフローチャートである。コンテンションウィンドウサイズを特定する方法６００は、移動局によって実行されてもよい。以下、図６を参照しながら、本発明の実施例によるコンテンションウィンドウサイズを特定する方法６００について詳細に説明する。図６に示すように、ステップＳ６０１において、無線基地局のスケジューリングにより前記移動局に伝送させるデータが新規データであるか、または再送信の旧データであるかを指示するデータ伝送情報を取得する。例えば、移動局は、無線基地局から上りリンクグラント（ＵＬ  ｇｒａｎｔ）シグナリングを受信し、受信された上りリンクグラントシグナリングにおける新データインジケータ（ｎｅｗ  ｄａｔａ  ｉｎｄｉｃａｔｏｒ，ＮＤＩ）に基づいてデータ伝送情報を特定する。例えば、ＮＤＩ反転（ｔｏｇｇｌｅｄ  ＮＤＩ）の場合に、前記移動局が伝送しようとするデータが新規データであることを指示し、つまり、旧データが正しく復調されていた。ＮＤＩ未反転（ｎｏｔ  ｔｏｇｇｌｅｄ  ＮＤＩ）の場合に、前記移動局が伝送しようとするデータが旧データであることを指示し、つまり、旧データが正しく復調されていなく、移動局の再送信が必要とされる。
次いで、ステップＳ６０２において、所定時間帯内に取得されるデータ伝送情報に従って、前記移動局が使用しようとするコンテンションウィンドウのサイズを特定する。例えば、移動局は、各サブフレームにおける上りリンクグラントシグナリングの新データインジケータに基づいてデータ伝送情報を特定してもよい。ステップＳ６０１において、移動局は、所定時間帯内に特定されたデータ伝送情報を取得することができる。ステップＳ６０２において、所定時間帯内に取得されたデータ伝送情報に基づいて、該移動局が使用しようとするコンテンションウィンドウのサイズを特定してもよい。該所定時間帯は、最も近い上り伝送バーストにおける１つまたは複数の上りリンクサブフレームであってもよい。例えば、最も近い上り伝送バーストの最初の１つまたは複数のサブフレームであってもよく、あるいは、最も近い上り伝送バーストの最後の１つまたは複数のサブフレームであってもよい。
【００３２】
図７は、本発明の一例によるデータ伝送情報に基づいて、移動局が使用しようとするコンテンションウィンドウサイズを特定する方法７００のフローチャートである。図７に示すように、ステップＳ７０１において、所定時間帯内におけるデータ伝送情報において、無線基地局のスケジューリングにより前記移動局に伝送させるデータが再送信の旧データであることを指示するデータ伝送情報の数量または比率が再送信数量閾値または再送信比率閾値以上であるか否かを特定する。所定時間帯内おいて、無線基地局のスケジューリングにより前記移動局に伝送させるデータが再送信の旧データであることを指示するデータ伝送情報の数量または比率が再送信数量閾値または再送信比率閾値以上である場合には、移動局のチャネル状態が悪くてデータ伝送に不利であることが示される。従って、ステップＳ７０２において、前記移動局が使用しようとするコンテンションウィンドウのサイズを増加する。通信システムにおけるチャネル状態に対する要求に応じて再送信数量又は再送信比率閾値を設定してもよい。
【００３３】
一方、選択的に、所定時間帯内において、無線基地局のスケジューリングにより前記移動局に伝送させるデータが再送信の旧データであることを指示するデータ伝送情報の数量または比率が再送信数量閾値または再送信比率閾値を下回った場合には、移動局のチャネル状態が良くてデータ伝送に有利であることが示される。従って、移動局が使用しようとするコンテンションウィンドウのサイズを最小値にリセットしてもよい。
【００３４】
例えば、再送信比率閾値を１００％に設定し、つまり、所定時間帯内において、無線基地局のスケジューリングにより前記移動局に伝送させるデータが再送信の旧データであることを指示するデータ伝送情報の比率が１００％である場合に、移動局が使用しようとするコンテンションウィンドウのサイズを増加し、そうでなければ、移動局が使用しようとするコンテンションウィンドウのサイズを最小値にリセットしてもよい。
【００３５】
図６に戻り、ステップＳ６０３において、特定されたコンテンションウィンドウのサイズに従って、前記移動局が使用しようとするバックオフ回数を生成する。例えば、移動局は、０から特定されたコンテンションウィンドウのサイズまでの間に、使用しようとするバックオフ回数をランダムに選択してもよい。
【００３６】
図８は、本発明の他の実施例によるコンテンションウィンドウサイズを特定する方法８００のフローチャートである。コンテンションウィンドウサイズを特定する方法８００は、移動局によって実行されてもよい。以下、図８を参照しながら、本発明の実施例によるコンテンションウィンドウサイズを特定する方法８００について詳細に説明する。図８に示すように、ステップＳ８０１において、観察時間帯内において、データ伝送を行いたいチャネルに対して検出して、チャネルのビジー／アイドル状態を指示するチャネル検出結果を取得する。次いで、ステップＳ８０２において、前記チャネル検出結果に従って、前記移動局が使用しようとするコンテンションウィンドウのサイズを特定する。
【００３７】
例えば、観察時間帯は、複数のスロットを含んでもよい。ステップＳ８０１において、チャネルがビジーであるビジースロットと、チャネルがアイドルであるアイドルスロットとを取得することができる。次いで、ステップＳ８０２において、ビジースロットまたはアイドルスロットの数量を特定し、前記移動局が使用しようとするコンテンションウィンドウに対して調整する。具体的には、ステップＳ８０２において、ビジースロットの数量または比率がスロット数量またはスロット比率閾値以上であるか否かを特定することができる。ビジースロットの数量または比率がスロット数量またはスロット比率閾値以上である場合には、移動局のチャネル状態が悪くてデータ伝送に不利であることが示される。従って、ステップＳ８０２において、移動局が共通に使用しようとするコンテンションウィンドウのサイズを増加する。通信システムにおけるチャネル状態に対する要求に応じてスロット数量又はスロット比率閾値を設定してもよい。
【００３８】
また、例えば、ステップＳ８０１において、前記観察時間帯において、チャネルが継続的にビジー状態にあるビジーサブ時間帯と、チャネルが継続的にアイドル状態にあるアイドルサブ時間帯とを取得することができる。次いで、ステップＳ８０２において、ビジーサブ時間帯またはアイドルサブ時間帯の数量に従って、前記移動局が使用しようとするコンテンションウィンドウに対して調整する。図９は、本発明の一例による観察時間帯９００を示す図である。図９に示すように、観察時間帯９００は、７つのスロットを含み、スロット１〜３において、チャネルは継続的にアイドル状態にあり、スロット４と５において、チャネルは継続的にビジー状態にあり、スロット６と７において、チャネルは継続的にアイドル状態にある。かかる場合に、スロット１〜３は、アイドルサブ時間帯９０１を構成し、スロット４と５は、ビジーサブ時間帯９０２を構成し、かつ、スロット６と７は、アイドルサブ時間帯９０３を構成することを特定することができる。従って、この観察時間帯において、ビジーサブ時間帯の数量は１であり、アイドルサブ時間帯の数量は２である。ステップＳ８０２において、ビジーサブ時間帯の数量または比率がサブ時間帯数量またはサブ時間帯比率の閾値以上であるか否かを特定することができる。ビジースロットの数量またはサブ時間帯の比率がサブ時間帯数量またはサブ時間帯比率の閾値以上である場合には、移動局のチャネル状態が悪くてデータ伝送に不利であることが示される。従って、ステップＳ８０２において、移動局が共通に使用しようとするコンテンションウィンドウのサイズを増加する。通信システムにおけるチャネル状態に対する要求に応じてサブ時間帯数量又はサブ時間帯比率閾値を設定してもよい。
【００３９】
ステップＳ８０３において、特定されたコンテンションウィンドウのサイズに従って前記移動局が使用しようとするバックオフ回数を生成する。例えば、移動局は、０から特定されたコンテンションウィンドウのサイズまでの間に、使用しようとするバックオフ回数をランダムに選択してもよい。
【００４０】
以上の図６〜８を参照しながら説明した、本発明の上述した実施例によるコンテンションウィンドウサイズを特定する方法において、移動局は、移動局に関するデータ伝送情報またはチャネルビジー／アイドル状態を指示するチャネル検出結果に基づいて、移動局が使用しようとするコンテンションウィンドウのサイズを特定する。移動局がＡＣＫ／ＮＡＣＫシグナリングを取得できない場合であっても、それが使用しようとするコンテンションウィンドウのサイズまたはバックオフ回数は、適切に調整されうる。
【００４１】
また、以上の図６〜８を参照しながら説明した、本発明の上述した実施例によるコンテンションウィンドウサイズを特定する方法において、移動局は、データ伝送情報またはチャネル検出結果に従って前記移動局が使用しようとするコンテンションウィンドウのサイズを特定した後に、特定されたコンテンションウィンドウのサイズを無線基地局に通知することができる。上述したように、無線基地局は、各移動局のそれぞれが特定したコンテンションウィンドウサイズに基づいて、複数の移動局が共通に使用しようとするコンテンションウィンドウのサイズまたは共通に使用しようとするバックオフ回数をさらに特定し、複数の移動局に通知し、これによって、複数の移動局のうちの各々の移動局は、無線基地局によって通知された情報に基づいて、設定を行い、且つ、バックオフアルゴリズムを行う。
【００４２】
上述した本発明の実施例によるコンテンションウィンドウサイズを特定する方法に加えて、本発明の他の実施例によれば、移動局が長時間に大きいバックオフ回数を選択する状態にありユーザの待ち時間が長くなることを回避するように、コンテンションウィンドウサイズの継続していた時間に基づいて調整してもよい。具体的には、移動局が連続的に最大コンテンションウィンドウを使用する回数または時間が予め設定した最大コンテンションウィンドウ使用回数閾値または最大ウィンドウ使用時間閾値に達する場合に、無線基地局または移動局自身により、移動局が使用しようとするコンテンションウィンドウのサイズを最小値にリセットしてもよい。
【００４３】
また、本発明の他の実施例によれば、移動局が上り伝送を行う時間がない場合、且つ、上りスケジューリングを受けていない時間が所定時間閾値を超えた場合に、上り伝送が必要となる場合のユーザの待ち時間を低減するように、無線基地局または移動局自身により、コンテンションウィンドウのサイズを最小値にリセットしてもよい。
【００４４】
以下、図１０を参照しながら本発明の実施例による無線基地局について説明する。図１０は、本発明の実施例による無線基地局１０００のブロック図を示した。図１０に示すように、無線基地局１０００は、パラメータ取得部１０１０、ウィンドウ特定部１０２０、及び情報通知部１０３０を含む。この３つの部に加えて、無線基地局１０００は、例えば、データ信号または制御信号に対して各種処理を行う部品などのほかの部品をさらに含んでもよい。しかし、これらの部品は、本発明の実施例の内容と関係がないため、ここでは、その図示と説明を省略する。また、本発明の実施例による無線基地局１０００が実行した下記動作の具体的な詳細は、上記の図１〜５を参照しながら説明した詳細と同様であるため、ここでは、重複を回避するために同一の詳細に対する重複説明を省略する。
【００４５】
パラメータ取得部１０１０は、少なくとも１つの移動局に関するコンテンションウィンドウパラメータを取得してもよい。例えば、コンテンションウィンドウは、移動局のチャネル品質に関するチャネル品質パラメータを含んでもよく、移動局によって特定されて基地局に通知される、該移動局が使用しようとするコンテンションウィンドウのサイズを指示する候補ウィンドウパラメータを含んでもよい。本発明の一例によれば、チャネル品質パラメータは、無線基地局が上りデータに対して正しく復調できたか否かを指示するデータ復調情報を含んでもよい。例えば、無線基地局は、移動局から送信された上りデータを復調してもよい。しかも、データ復調情報は、無線基地局が上りデータに対して正しく復調できたことを指示する肯定復調情報と、無線基地局が上りデータに対して正しく復調できなかったことを指示する否定復調情報とを含んでもよい。本発明の他の例によれば、チャネル品質パラメータは、上りサウンディング参照信号測定結果を含んでもよい。例えば、無線基地局は、上りサウンディング参照信号を使用して移動局に対して測定を行うと共に、上りサウンディング参照信号測定結果を生成してもよい。
【００４６】
次いで、ウィンドウ特定部１０２０は、取得されるコンテンションウィンドウパラメータに従って、前記少なくとも一つの移動局が使用しようとするコンテンションウィンドウのサイズを特定する。本発明による実施例において、コンテンションウィンドウは、移動局がアンライセンス周波数帯域で無線通信を行うときに、データ送信を行う前のアンライセンス周波数帯域に対するリスニングポリシーを特定するためのウィンドウを指す。具体的には、コンテンションウィンドウは、移動局がデータ送信を行う前にリスニングすべきチャネルがアイドル状態にある最大スロット数を指示してもよい。言い換えれば、コンテンションウィンドウは、移動局がデータ送信を行う前に必要なバックオフの最大回数を指示してもよい。
【００４７】
本発明の一例によれば、無線基地局は、複数の移動局を同時にスケジューリングしたい場合に、パラメータ取得部１０１０は、複数の移動局のコンテンションウィンドウパラメータを取得してもよい。しかも、コンテンションウィンドウ特定部１０２０は、取得される複数の移動局のチャネル品質パラメータに従って、この複数の移動局が共通に使用しようとするコンテンションウィンドウのサイズを特定する。複数の移動局が共通に使用するコンテンションウィンドウを使用するときに、この複数の移動局のデータ送信時間が近く、無線基地局がこの複数の移動局からの送信データを１つのサブフレームとして同時にスケジューリングすることが容易になる。
【００４８】
例えば、コンテンションウィンドウパラメータは、データ復調情報を含んでもよい。パラメータ取得部１０１０は、複数の移動局のうちそれぞれの移動局からの上りデータに対する復調により、当該移動局の上りデータに対するデータ復調情報を生成することができる。具体的には、無線基地局は、各上りリンクサブフレームにおける各移動局からの上りデータに対して復調し、対応するデータ復調情報を生成することができる。無線基地局は、１つ又は複数の上りリンクサブフレームを含む時間帯内の各移動局のデータ復調情報を取得することができる。次いで、ウィンドウ特定部１０２０は、所定時間帯内に生成される複数の移動局のデータ復調情報のうちの否定復調情報に従って、前記複数の移動局が共通に使用しようとするコンテンションウィンドウのサイズを特定する。例えば、ウィンドウ特定部１０２０は、所定時間帯内に生成される複数の移動局のデータ復調情報のうちの否定復調情報の数量または比率が否定数量閾値または否定比率閾値以上であるか否かを特定する。所定時間帯内に生成される複数の移動局のデータ復調情報のうちの否定復調情報の数量または比率が否定数量または比率閾値以上である場合には、複数の移動局のチャネル状態が悪くてデータ伝送に不利であることが示される。そのため、ウィンドウ特定部１０２０は、複数の移動局が共通に使用しようとするコンテンションウィンドウのサイズを増加する。通信システムにおけるチャネル状態に対する要求に応じて否定数量または否定比率閾値を設定してもよい。例えば、チャネル状態に対する要求が高い場合に、否定数量閾値を１に設定してもよい。これにより、所定時間帯内に生成された複数の移動局のデータ復調情報に否定復調情報が存在すれば、複数の移動局が共通に使用しようとするコンテンションウィンドウのサイズを増加する。または、例えば、チャネル状態に対する要求が低い場合に、否定比率閾値を１００％に設定してもよい。これにより、所定時間帯内に無線基地局がすべての移動局の上りデータのいずれも正しく復調できなかった場合にのみ、複数の移動局が共通に使用しようとするコンテンションウィンドウのサイズを増加する。また、否定比率閾値を５０％に設定してもよい。これにより、所定時間帯内に無線基地局が５０％の移動局の上りデータを正しく復調できなかった場合に、複数の移動局が共通に使用しようとするコンテンションウィンドウのサイズを増加する。
【００４９】
一方、選択的に、所定時間帯内に生成される複数の移動局のデータ復調情報のうちの否定復調情報の数量または比率が所定数量または比率閾値を下回った場合には、複数の移動局のチャネル環境が良くてデータ伝送に有利であることが示される。従って、ウィンドウ特定部１０２０は、複数の移動局が共通に使用しようとするコンテンションウィンドウのサイズを最小値にリセットしてもよい。
【００５０】
また、例えば、コンテンションウィンドウパラメータは、無線基地局の移動局に対する上りサウンディング参照信号測定の測定結果を含んでもよい。パラメータ取得部１０１０は、無線基地局の前記複数の移動局のうちそれぞれの移動局に対するサウンディング参照信号測定結果を取得する。例えば、無線基地局の前記複数の移動局のうちそれぞれの移動局に対する最新回のサウンディング参照信号測定結果を取得することができる。次いで、ウィンドウ特定部１０２０は、取得されるサウンディング参照信号測定結果に従って、前記複数の移動局が共通に使用しようとするコンテンションウィンドウのサイズを特定する。ウィンドウ特定部１０２０は、複数の移動局のうちに、サウンディング参照信号測定結果が所定測定閾値より小さい移動局の数量または比率が移動局数量閾値または移動局比率閾値以上であるか否かを特定することができる。複数の移動局のうちに、サウンディング参照信号測定結果が所定測定閾値より小さい移動局の数量または比率が移動局数量閾値または移動局比率閾値以上である場合には、複数の移動局のチャネル状態が悪くてデータ伝送に不利であることが示される。そのため、ウィンドウ特定１０２０は、複数の移動局が共通に使用しようとするコンテンションウィンドウのサイズを増加する。通信システムにおけるチャネル状態に対する要求に応じて所定測定閾値及び移動局数量閾値または移動局比率閾値を設定してもよい。例えば、チャネル状態に対する要求が高い場合、サウンディング参照信号測定結果に関する所定測定閾値を、良い測定結果を指示するように設定するとともに、移動局数量閾値を大きく、または移動局比率閾値を高く設定してもよい。逆に、サウンディング参照信号測定結果に関する所定測定閾値を、悪い測定結果を指示するように設定すると共に、移動局数量閾値を小さく、または移動局比率閾値を低く設定してもよい。
【００５１】
一方、選択的に、複数の移動局のうちに、サウンディング参照信号測定結果が所定測定閾値より小さい移動局の数量または比率が移動局数量閾値または移動局比率閾値を下回った場合には、複数の移動局のチャネル状態が良くてデータ伝送に有利であることが示される。従って、ウィンドウ特定部１０２０は、複数の移動局が共通に使用しようとするコンテンションウィンドウのサイズを最小値にリセットしてもよい。
【００５２】
また、例えば、コンテンションウィンドウパラメータは、移動局によって特定されて基地局へ通知される、当該移動局が使用しようとするコンテンションウィンドウのサイズを指示する候補ウィンドウパラメータを含んでもよい。パラメータ取得部１０１０は、複数の移動局の各々の移動局の候補ウィンドウパラメータを取得することができる。例えば、各移動局は、上記の図６〜８を参照しながら説明したコンテンションウィンドウサイズを特定する方法によって、それ自身のチャネル状態に応じて、該移動局に適するコンテンションウィンドウのサイズを特定して、候補ウィンドウパラメータとして基地局に送信してもよい。次いで、ウィンドウ特定部１０２０は、取得された各移動局の候補ウィンドウパラメータに従って、前記複数の移動局が共通に使用しようとするウィンドウのサイズを特定する。
【００５３】
また、本発明の他の例によれば、パラメータ取得部１０１０は、一つの特定移動局に関するコンテンションウィンドウパラメータを取得してもよい。しかも、ウィンドウ特定部１０２０は、取得されるコンテンションウィンドウパラメータに従って、該特定移動局が使用しようとするコンテンションウィンドウのサイズを特定する。
【００５４】
例えば、コンテンションウィンドウパラメータは、データ復調情報を含んでもよい。パラメータ取得部１０１０は、特定移動局からの上りデータに対する復調により、当該移動局のデータ復調情報を生成する。具体的には、無線基地局は、各上りリンクサブフレームおける特定移動局からの上りデータに対して復調を行うと共に、対応するデータ復調情報を生成してもよい。無線基地局は、１つの又は複数の上りリンクサブフレームを含む時間帯内における特定移動局のデータ復調情報を取得してもよい。次いで、ウィンドウ特定部１０２０は、所定時間帯内に生成される特定移動局のデータ復調情報のうちの否定復調情報に従って、該特定移動局が使用しようとするコンテンションウィンドウのサイズを特定する。ウィンドウ特定部１０２０は、所定時間帯内に生成される特定移動局のデータ復調情報のうちの否定復調情報の数量または比率が否定数量閾値または否定比率閾値以上であるか否かを特定する。所定時間帯内に生成される特定移動局のデータ復調情報のうちの否定復調情報の数量または比率が否定数量または比率閾値以上である場合には、該特定移動局のチャネル状態が悪くてデータ伝送に不利であることが示される。従って、ウィンドウ特定部１０２０は、該特定移動局が使用しようとするコンテンションウィンドウのサイズを増加する。ウィンドウ特定部１０２０は、通信システムにおけるチャネル状態に対する要求に応じて否定数量又は否定比率閾値を設定してもよい。
【００５５】
一方、選択的に、所定時間帯内に生成される特定移動局のデータ復調情報のうちの否定復調情報の数量または比率が所定数量または比率閾値を下回った場合には、特定移動局のチャネル状態が良くてデータ伝送に有利であることが示される。従って、ウィンドウ特定部１０２０は、特定移動局が使用しようとするコンテンションウィンドウのサイズを最小値にリセットしてもよい。
【００５６】
また、例えば、コンテンションウィンドウパラメータは、無線基地局の移動局に対する上りサウンディング参照信号測定の測定結果を含んでもよい。パラメータ取得部１０１０は、前記無線基地局の前記特定移動局に対するサウンディング参照信号測定結果を取得することができる。例えば、無線基地局の特定移動局に対する最新回のサウンディング参照信号測定結果を取得することができる。次いで、ウィンドウ特定部１０２０は、取得されるサウンディング参照信号測定結果に従って、特定移動局が使用しようとするコンテンションウィンドウのサイズを特定する。ウィンドウ特定部１０２０は、特定移動局のサウンディング参照信号測定結果が所定測定閾値より小さいか否かを特定する。特定移動局におけるサウンディング参照信号測定結果が所定測定閾値より小さい場合には、特定移動局のチャネル状態が悪くてデータ伝送に不利であることが示される。従って、ウィンドウ特定部１０２０は、特定移動局が使用しようとするコンテンションウィンドウのサイズを増加する。通信システムにおけるチャネル状態に対する要求に応じて所定測定閾値を設定してもよい。
【００５７】
一方、選択的に、特定移動局のサウンディング参照信号測定結果が所定測定閾値以上である場合には、特定移動局のチャネル状態が良くてデータ伝送に有利であることが示される。従って、ウィンドウ特定部１０２０は、特定移動局が使用しようとするコンテンションウィンドウのサイズを最小値にリセットしてもよい。
【００５８】
情報通知部１０３０は、特定されるコンテンションウィンドウのサイズに従ってバックオフ情報を生成し、且つ、少なくとも一つの移動局にバックオフ情報を通知する。本発明の一例によれば、バックオフ情報は、特定されたコンテンションウィンドウのサイズを指示することができる。本発明の他の例によれば、無線基地局は、特定されるコンテンションウィンドウのサイズに従って、該コンテンションウィンドウの範囲内において、移動局がデータ送信を行う前に必要なバックオフ回数をランダムに選択し、移動局に通知してもよい。かかる場合に、バックオフ情報は、無線基地局が移動局のために選択したバックオフ回数を指示してもよい。
【００５９】
また、情報通知部１０３０は、ＲＲＣシグナリング、ＤＣＩシグナリング、または下り伝送バーストの前の初期シグナリングにより、前記複数の移動局に前記バックオフ情報を通知してもよい。具体的には、無線基地局は、ＲＲＣシグナリングを介して移動局にバックオフ情報を通知することにより、該情報を移動局に準静的に通知することができる。代わりに、無線基地局は、ＤＣＩシグナリングを介して移動局にバックオフ情報を通知することにより、該情報を移動局に動的に通知することができる。例えば、バックオフ情報が複数の移動局に対する共通のバックオフ情報である場合に、無線基地局は、バックオフ情報を、ＤＣＩシグナリングの共通検索フィールドに設定してもよく、同一のバックオフ情報を、ＤＣＩシグナリングの移動局固有検索フィールドに設定してもよい。また、バックオフ情報が特定移動局に共通のバックオフ情報である場合に、無線基地局は、バックオフ情報を、ＤＣＩシグナリングの対応する移動局固有検索フィールドに設定してもよい。また、バックオフ情報が複数の移動局に共通のバックオフ情報である場合に、無線基地局は、各移動局に共通の、下り伝送バーストの前の初期シグナリングを介して、複数の移動局に対してバックオフ情報を通知してもよい。
【００６０】
本発明の上述した実施例による無線基地局は、移動局に関するコンテンションウィンドウパラメータに基づいて、移動局が使用しようとするコンテンションウィンドウのサイズを特定する。移動局がＡＣＫ／ＮＡＣＫシグナリングを取得できない場合であっても、それが使用しようとするコンテンションウィンドウのサイズまたはバックオフ回数は、適切に調節されうる。また、本発明の上述した実施例によるコンテンションウィンドウサイズを特定する方法を通じて、無線基地局による、移動局が使用しようとするコンテンションウィンドウサイズまたはバックオフ回数に対する制御を実現することができる。移動局によるコンテンションウィンドウサイズの特定と比べて、基地局は、移動局をより適切にスケジューリングを行うことができる。
【００６１】
以下、図１１を参照しながら本発明の実施例による移動局について説明する。図１１は、本発明の実施例による移動局１１００のブロック図を示した。図１１に示すように、移動局１１００は、情報取得部１１１０、ウィンドウ特定部１１２０とバックオフ特定部１１３０を含む。この３つの部に加えて、移動局１１００は、例えば、データ信号または制御信号に対して各種処理を行う部品などのほかの部品をさらに含んでもよい。しかし、これらの部品は本発明の実施例の内容と関係がないため、ここでは、その図示と説明を省略する。また、本発明の実施例による移動局１１００が実行した下記動作の具体的な詳細は、上記の６〜７を参照しながら説明した詳細と同様であるため、ここでは、重複を回避するために同一の詳細に対する重複説明を省略する。
【００６２】
図１１に示すように、情報取得部１１１０は、無線基地局のスケジューリングにより前記移動局に伝送させるデータが新規データであるか、または再送信の旧データであるかを指示するデータ伝送情報を取得する。例えば、移動局は、無線基地局から上りリンクグラント（ＵＬ  ｇｒａｎｔ）シグナリングを受信し、受信された上りリンクグラントシグナリングにおける新データインジケータ（ＮＤＩ）に基づいてデータ伝送情報を特定することができる。
【００６３】
次いで、ウィンドウ特定部１１２０は、所定時間帯内に取得されるデータ伝送情報に従って、前記移動局が使用しようとするコンテンションウィンドウのサイズを特定する。例えば、移動局は、各サブフレームにおける上りリンクグラントシグナリングの新データインジケータに基づいて、データ伝送情報を特定することができる。情報取得部１１１０は、１つまたは複数の上りリンクサブフレームを含む時間帯内に特定されたデータ伝送情報を取得することができる。次いで、ウィンドウ特定部１１２０は、所定時間帯内に取得されたデータ伝送情報に基づいて、該移動局が使用しようとするコンテンションウィンドウのサイズを特定してもよい。
【００６４】
例えば、ウィンドウ特定部１１２０は、所定時間帯内におけるデータ伝送情報において、無線基地局のスケジューリングにより前記移動局に伝送させるデータが再送信の旧データであることを指示するデータ送信情報の数量または比率が再送信数量閾値または再送信比率閾値以上であるか否かを特定することができる。所定時間帯内に生成された複数の移動局のデータ復調情報のうち、無線基地局のスケジューリングにより前記移動局に伝送させるデータが再送信の旧データであることを指示するデータ伝送情報の数量または比率が再送信数量閾値または再送信比率閾値以上である場合には、移動局のチャネル状態が悪くてデータ伝送に不利であることが示される。従って、ウィンドウ特定部１１２０は、移動局が共通に使用しようとするコンテンションウィンドウのサイズを増加する。通信システムにおけるチャネル状態に対する要求に応じて再送信数量又は再送信比率閾値を設定してもよい。
【００６５】
一方、選択的に、所定時間帯内において、無線基地局のスケジューリングにより前記移動局に伝送させるデータが再送信の旧データであることを指示するデータ伝送情報の数量または比率が再送信数量閾値または再送信比率閾値を下回った場合には、移動局のチャネル状態が良くてデータ伝送に有利であることが示される。従って、ウィンドウ特定部１１２０は、移動局が共通に使用しようとするコンテンションウィンドウのサイズを最小値にリセットしてもよい。
【００６６】
バックオフ特定部１１３０は、特定されたコンテンションウィンドウのサイズに従って、前記移動局が使用しようとするバックオフ回数を生成する。例えば、０から特定されたコンテンションウィンドウのサイズまでの間に、使用しようとするバックオフ回数をランダムに選択することができる。
【００６７】
以下、図１２を参照しながら本発明の実施例による移動局について説明する。図１２は、本発明の実施例による移動局１２００のブロック図を示した。図１２に示すように、移動局１２００は、検出部１２１０、ウィンドウ特定部１２２０、及びバックオフ特定部１２３０を含む。この３つの部に加えて、移動局１２００は、例えば、データ信号または制御信号に対して各種処理を行う部品などのほかの部品をさらに含んでもよい。しかし、これらの部は本発明の実施例の内容と関係がないため、ここでは、その図示と説明を省略する。また、本発明の実施例による移動局１２００が実行した下記動作の具体的な詳細は、上記の図８を参照しながら説明した詳細と同様であるため、ここでは、重複を回避するために同一の詳細に対する重複説明を省略する。
【００６８】
例えば、観察時間帯は、複数のスロットを含んでもよい。検出部１２１０は、チャネルがビジーであるビジースロットと、チャネルがアイドルであるアイドルスロットとを取得することができる。次いで、ウィンドウ特定部１２２０は、ビジースロットまたはアイドルスロットの数量を特定し、前記移動局が使用しようとするコンテンションウィンドウに対して調整する。具体的には、ウィンドウ特定部１２２０は、ビジースロットの数量または比率がスロット数量またはスロット比率閾値以上であるか否かを特定することができる。ビジースロットの数量または比率がスロット数量またはスロット比率閾値以上である場合には、移動局のチャネル状態が悪くてデータ伝送に不利であることが示される。そのため、ウィンドウ特定部１２２０は、移動局が共通に使用しようとするコンテンションウィンドウのサイズを増加する。通信システムにおけるチャネル状態に対する要求に応じてスロット数量又はスロット比率閾値を設定してもよい。
【００６９】
また、例えば、検出部１２１０は、前記観察時間帯において、チャネルが継続的にビジー状態にあるビジーサブ時間帯と、チャネルが継続的にアイドル状態にあるアイドルサブ時間帯とを取得することができる。次いで、ウィンドウ特定部１２２０は、ステップビジーサブ時間帯またはアイドルサブ時間帯の数量に従って、前記移動局が使用しようとするコンテンションウィンドウに対して調整する。具体的には、ウィンドウ特定部１２２０は、ビジーサブ時間帯の数量または比率がサブ時間帯数量またはサブ時間帯比率の閾値以上であるか否かを特定することができる。ビジースロットの数量またはサブ時間帯の比率がサブ時間帯数量またはサブ時間帯比率の閾値以上である場合には、移動局のチャネル状態が悪くてデータ伝送に不利であることが示される。そのため、ウィンドウ特定部１２２０は、移動局が共通に使用しようとするコンテンションウィンドウのサイズを増加する。ウィンドウ特定部１２２０は、通信システムにおけるチャネル状態に対する要求に応じてサブ時間帯の数量又はサブ時間帯の比率閾値を設定してもよい。
【００７０】
バックオフ特定部１２３０は、特定されたコンテンションウィンドウサイズに従って前記移動局が使用しようとするバックオフ回数を生成する。例えば、移動局は、０から特定されたコンテンションウィンドウのサイズまでの間に、使用しようとするバックオフ回数ランダムに選択してもよい。
【００７１】
以上の図１１と１２を参照しながら説明した、本発明の上述した実施例によるコンテンションウィンドウサイズを特定する方法において、移動局は、移動局に関するデータ伝送情報またはチャネルビジー／アイドル状態を指示するチャネル検出結果に基づいて、移動局が使用しようとするコンテンションウィンドウのサイズを特定する。移動局がＡＣＫ／ＮＡＣＫシグナリングを取得できない場合であっても、それが使用しようとするコンテンションウィンドウのサイズは、適切に調整されうる。
【００７２】
また、以上の図１１と１２を参照しながら説明した、本発明の上述した実施例によるコンテンションウィンドウサイズを特定する方法において、移動局は、データ伝送情報またはチャネル検出結果によって特定された前記移動局が使用しようとするコンテンションウィンドウのサイズを特定した後に、特定されたコンテンションウィンドウのサイズを無線基地局に通知することができる。上述したように、無線基地局は、各移動局のそれぞれが特定したコンテンションウィンドウサイズに基づいて、複数の移動局が共通に使用しようとするコンテンションウィンドウのサイズをさらに特定し、複数の移動局に通知し、これによって、基地局がこの複数の移動局を容易にスケジューリングすることができる。
【００７３】
本発明の他の実施例によれば、無線基地局または移動局は、移動局が長時間に大きいバックオフ回数を選択する状態にありユーザの待ち時間が長くなることを回避するように、コンテンションウィンドウサイズの継続していた時間に基づいて、調整してもよい。具体的には、移動局が連続的に最大コンテンションウィンドウを使用する回数または時間が予め設定した最大コンテンションウィンドウ使用回数閾値または最大ウィンドウ使用時間閾値に達する場合に、無線基地局または移動局自身により、移動局が使用しようとするコンテンションウィンドウのサイズを最小値にリセットしてもよい。
【００７４】
また、本発明の他の実施例によれば、移動局が上り伝送を行わない時間が所定時間閾値を超えた場合に、上り伝送が必要となる場合のユーザの待ち時間を低減するように、無線基地局または移動局自身により、コンテンションウィンドウのサイズを最小値にリセットしてもよい。
【００７５】
上述した基地局１０００、移動局１１００、及び移動局１２００の動作は、ハードウェアによって実現されてもよく、プロセッサで実行されるソフトウェアモジュールによって実現されてもよく、両者の組み合わせによって実現されてもよい。
【００７６】
ソフトウェアモジュールは、例えば、ＲＡＭ（ランダムアクセスメモリ）、フラッシュメモリ、ＲＯＭ（読み出し専用メモリ）、ＥＰＲＯＭ（消去可能プログラム可能ＲＯＭ）、ＥＥＰＲＯＭ（電気的に消去可能なプログラム可能ＲＯＭ）、レジスタ、ハードドライブ、リムーバブルディスク、ＣＤ−ＲＯＭなどの任意の形式の記憶媒体に設置されてもよい。
【００７７】
このような記憶媒体は、プロセッサが該記憶媒体に情報を書き込んだり、該記憶媒体から情報を読み取ったりできるように、プロセッサに接続されている。このような記憶媒体は、プロセッサに集積されてもよい。このような記憶媒体またはプロセッサは、ＡＳＩＣに設置されてもよい。このようなＡＳＩＣは、基地局１０００、移動局１１００と移動局１２００に設置されてもよい。このような記憶媒体およびプロセッサは、ディスクリートコンポーネントとして基地局１０００、移動局１１００及び１２００に設置されてもよい。
【００７８】
従って、上述した実施例を用いて本発明について詳細に説明したが、本発明は、ここで説明した実施例に限定されるものではないことは、当業者にとって自明である。本発明は、請求の範囲によって限定された本発明の範囲を逸脱しない限り、修正又は変更された態様として実現されてもよい。従って、明細書における説明は、例示の説明に過ぎず、本発明の限定を意図するものではない。
【図１】
2019180083.tif 000003
【図２】
2019180083.tif 000004
【図３】
2019180083.tif 000005
【図４】
2019180083.tif 000006
【図５】
2019180083.tif 000007
【図６】
2019180083.tif 000008
【図７】
2019180083.tif 000009
【図８】
2019180083.tif 000010
【図９】
2019180083.tif 000011
【図１０】
2019180083.tif 000012
【図１１】
2019180083.tif 000013
【図１２】
2019180083.tif 000014